(57)【要約】      （修正有）【課題】文庫本〜Ａ４版の書籍を読書する際、ページ捲り以外は常に両手がフリーである本の傾斜角度の調整できる書見台を提供する。   【解決手段】自由に傾斜角度を調整して読書することができるベースとなる基台１に取り付けた本の表表紙と裏表紙を支持する２つの表紙支持部材２と本のページを見開き状態で堅持する２つのバネ部材３から構成され、表紙支持部材２は適度の弾力かつ柔軟性のあるもので、バネ部材３は、突出した状態で基台１底面に取り付けており直線状では断面円弧状となり、断面の凸側を内側にして曲げると丸まる特性を持つ帯状のもので、本を書見台に取り付ける方法として、本の前後両面から２つの表紙支持部材２と２つのバネ部材３で本を挟む。【選択図】図２
0003218888.tif 000002
【実用新案登録請求の範囲】
【請求項１】
書見台において、
自由に傾斜角度を調整して読書することができるベースとなる基台に取り付けた
本の表表紙と裏表紙を支持する2つの表紙支持部材と本のページを見開き状態で堅持する２つのバネ部材から構成され、前記表紙支持部材は適度の弾力かつ柔軟性のあるもので、前記バネ部材は、突出した状態で基台底面に取り付けており直線状では断面円弧状となり、断面の凸側を内側にして曲げると丸まる特性を持つ帯状のもので、本を書見台に取り付ける方法として、本の前後両面から2つの表紙支持部材と2つのバネ部材で本を挟むことを特徴とする書見台。
【考案の詳細な説明】
【技術分野】
【０００１】
この考案は、文庫本〜Ａ４判の書籍を読む際に、表紙支持部材とバネ部材により本のページを見開き状態に堅持し、本の傾斜角度が自由に調整できる書見台に関する。      
【背景技術】
【０００２】
従来、読書する際、捲った本のページが戻らないようにするため、手で捲った本のページを押さえておく必要があった。そのため、見開き状態を堅持するため、本のページを把持部材で固定するものがある。（例えば特許文献1参照）
また、ねじりコイルバネで開本保持するものもある。（例えば特許文献２参照）
【先行技術文献】
【特許文献】
【０００３】
【特許文献１】特開２０１３−１６９７８９
【特許文献２】特開２０１５−１６７８５２
【考案の概要】
【考案が解決しようとする課題】
【０００４】
しかしながら、特許文献1では本を捲るとき、その都度両手を使い把持部材で捲ったページを挟まなければならず、煩わしさを感じる。また特許文献２でも本を捲り、そのページを見開き状態にするためコイルバネを操作する際、両手での煩雑な作業が伴う。
【０００５】
そこで、本考案において２つの表紙支持部材と２つのバネ部材で本の前後両面からページを拘束し、ページ捲りやページ保持の操作が片手で楽に行えるところの本の傾斜角度調整できる書見台を提案するものである。
【課題を解決するための手段】
【０００６】
書見台において、自由に傾斜角度を調整して読書することができるベースとなる基台に取り付けた本の表表紙と裏表紙を支持する2つの表紙支持部材と本のページを見開き状態で堅持する２つのバネ部材から構成され、前記表紙支持部材は適度の弾力かつ柔軟性のあるもので、前記バネ部材は、突出した状態で基台底面に取り付けており直線状では断面円弧状となり、断面の凸側を内側にして曲げると丸まる特性を持つ帯状のもので、本を書見台に取り付ける方法として、本の前後両面から2つの表紙支持部材と2つのバネ部材で本を挟むことを特徴とする書見台を提供することにより、前記の課題は解決する。
【考案の効果】
【０００７】
上述したように本考案は、文庫本〜Ａ４判の書籍を読む際に表紙支持部材とバネ部材により本を見開き状態に保ち、捲ったページを堅持させる作業についても片手で楽に行える書見台を提供できる。
【図面の簡単な説明】
【０００８】
【図１】本考案による書見台の正面図である
【図２】本考案による書見台の斜視図である
【図３】本考案による書見台のバネ部材を直線状にした状態の斜視図である
【図４】本考案による書見台に本を取り付けた状態の斜視図である
【図５】本考案による書見台の部品構成図である。
【図６】本考案による書見台の使用方法の一例図である。
【図７】本考案による書見台の上側から見た背面図である。
【図８】本考案による書見台を畳んだ状態の斜視図である
【考案を実施するための形態】
【０００９】
以下、本考案を実施するための形態について図１〜図８に基づいて説明する。
まず図１に示すように本考案に係る書見台は本の傾斜角度が自由に調整できる基台１に取り付けた2つの表紙支持部材２及び２つのバネ部材３（直線状では断面円弧状になり、断面の凸側を内側にして曲げると丸まる特性を持つ帯状のもの）からなる。
斜視図は図２に示す。
【００１０】
まず本を書見台に取り付ける方法として、まず丸まった状態の2つのバネ部材３を直線状にした後（図3参照）見開きの状態にした本の背表紙Ｃを背表紙ガイド４に乗せ、背表紙全体が２つの表紙支持部材２の真中になるようにして置く。
その後、直線状にしたバネ部材３を元の丸まった状態に戻して本を挟む。
表紙支持部材２とバネ部材３とで本の前後両面から挟むことで本の背表紙Ｃが左右にぶれなくなり、本のページを捲っていっても背表紙Ｃはほぼ同じ位置に維持され偏ることもない。本を挟んだ状況は図４のとおりである。
【００１１】
この書見台の最大の特徴は、本を書見台に取り付ける際、本の前後両面から2つの表紙支持部材２と2つのバネ部材３で保持していることである。
本の前後両方を弾力があり柔軟な部材で挟んでいるため、捲っていくページの枚数にかかわらず、常に本の前後から適度の強度で本を固持している。
そのため元に戻ろうとするページの復元力の強い新刊や小型の文庫本についてもこの書見台では堅持できる。
部品構成図は図５に示す。
【００１２】
次に書見台の使用方法として右開きの本の場合、まず手で左のページを左のバネ部材３から取外し、そのページを右のページに移動する。次に爪で右のバネ部材３を上側に持ち上げ、その開いた箇所に移動したページを入れ、持ち上げたバネ部材３を指から離す。これらの操作は片手で無理な力を使わず楽に行える。左開きの本の場合は、その逆の動作となる。（図６参照）
【００１３】
書見台に本のページが堅持されているため、ページを捲る作業以外は常に両手がフリーなのでストレスなく読書することができる。
また、ページが開示状態に保たれているので、読書を途中で中断しても後でそのままその続きを読むことができる。
【００１４】
書見台の表紙支持部材2について、長方形状の側板５の両サイドに表紙支持部材２を貼りつけその側板５を本置台６の下端部に貼り付けたものある。表紙支持部材２の材質は、柔軟で適度に弾力のあるスポンジ状のものが適しており、この２つの表紙支持部材２と２つのバネ部材３によって  本の前後両面から適度の強度で本を挟むことができる。
また背表紙ガイド４は背表紙部分がずれないようにする役目の凹状のガイドで、その材質は発泡スチロール又は柔軟なスポンジ状のものが適している。
【００１５】
２つのバネ部材３は、直線状では断面円弧状になり、断面の凸側を内側にして曲げると丸まる特性を持つ帯状のバネ部材であり、通常では内側に丸まりゼンマイ状を形成する性状のものである。
【００１６】
図７は書見台の上から見た背面図である。
図８は書見台を畳んだ図であり、本置台スタンド７を係止スリット８から外せばコンパクトになり、持ち運びしやすくなる。
【符号の説明】
【００１７】
表紙Ａ…（表表紙又は裏表紙）
表紙Ｂ…（表表紙又は裏表紙）
背表紙Ｃ
表表紙と裏表紙は右開き本と左開き本では逆になる
１    基台
２    表紙支持部材
３    バネ部材
４    背表紙ガイド
５    側板
６    本置台
７    本置台スタンド
８    係止スリット
【図１】
0003218888.tif 000003
【図２】
0003218888.tif 000004
【図３】
0003218888.tif 000005
【図４】
0003218888.tif 000006
【図５】
0003218888.tif 000007
【図６】
0003218888.tif 000008
【図７】
0003218888.tif 000009
【図８】
0003218888.tif 000010